(57)【要約】【課題】ＢＬシャーシの強度が不十分であっても、特段の問題なく据え置き型又は壁掛け型にすることができる表示装置及びテレビジョン受像機を提供する。【解決手段】表示装置１０を据え置きするためのスタンドが着脱可能に取り付けられるスタンド取付部材４に、部材取付部４５，４５が形成され、リアキャビネット３２に、壁掛け金具５，５が取り付けてある。表示装置１０を壁掛けするための壁掛け部材１４１は、部材取付部４５，４５及び壁掛け金具５，５に着脱可能に取り付けられる。壁掛けの際、表示装置１０の重量は、部材取付部４５，４５及び壁掛け金具５，５を介してスタンド取付部材４及びリアキャビネット３２に分散するため、ＢＬシャーシ３５が強度不足でも、表示装置１０を壁掛けすることができる。据え置きの際、表示装置１０の重量は、従来どおりスタンド取付部材４が支持する。【選択図】図２
2013126032.tif 000002
【特許請求の範囲】
【請求項１】
正面側に表示面を有する表示パネルと、
該表示パネルの背面側に配置してある板状のシャーシと、
該シャーシに取り付けてあり、据え置き用のスタンドが着脱可能に取り付けられるスタンド取付部材と、
前記表示面の周縁部を囲繞するフロントキャビネットと、
前記表示パネル、シャーシ、及びスタンド取付部材を背面側から覆うリアキャビネットと
を備え、
前記フロントキャビネットと前記シャーシとの間で前記表示パネルを保持する表示装置であって、
壁掛け用の壁掛け部材が着脱可能に取り付けられ、
前記スタンド取付部材に形成されている壁掛け部材取付部、及び前記リアキャビネットに取り付けてある壁掛け部材取付具と
を備えることを特徴とする表示装置。
【請求項２】
前記リアキャビネットは、一部が他よりも深いトレイ状をなしており、
前記スタンド取付部材は、前記一部によって覆われており、
前記壁掛け部材取付具は、前記一部の内側に取り付けてあり、
前記一部には、前記壁掛け部材取付部の配置位置又は前記壁掛け部材取付具の取付位置に対応するように、複数個の貫通孔が形成されていることを特徴とする請求項１に記載の表示装置。
【請求項３】
前記シャーシは、一部が他よりも高強度になしてあり、
前記スタンド取付部材は、前記一部に取り付けてあることを特徴とする請求項１又は２に記載の表示装置。
【請求項４】
請求項１から３の何れかひとつに記載の表示装置と、
テレビジョン信号を受信する受信部と
を備え、
前記表示装置は、前記受信部が受信したテレビジョン信号に基づく映像を表示するようにしてあることを特徴とするテレビジョン受像機。
【発明の詳細な説明】
【技術分野】
【０００１】
本発明は、据え置き用のスタンドが着脱可能に取り付けられるスタンド取付部材を備える表示装置及びテレビジョン受像機に関する。
【背景技術】
【０００２】
従来、据え置き及び壁掛け両用の液晶表示装置が提案されている（特許文献１，２参照）。
特許文献１に記載の液晶表示装置の場合、筐体の背面に、据え置き用のスタンドが配されている。また、このスタンドに、壁掛け用の壁掛け部材が取り付けてある。
特許文献２に記載の液晶表示装置の場合、筐体の背面に、壁掛け機構が配されている。この壁掛け機構は、手動で向きを変えられることによって、スタンドとして機能する場合と、筐体を壁に固定するための固定具として機能する場合とが切り替わる。
【０００３】
ここで、各後述するＢＬシャーシにスタンド取付部材が取り付けてある液晶表示装置について説明する。
この液晶表示装置は、液晶表示パネル、バックライト、パネルシャーシ及びバックライトシャーシ（以下、Ｐシャーシ及びＢＬシャーシという）、スタンド取付部材、並びに筐体を備えている。液晶表示パネル、バックライト、Ｐシャーシ、ＢＬシャーシ、及びスタンド取付部材は、筐体に収容されている。
筐体は、フロントキャビネットとリアキャビネットとを用いてなる。
【０００４】
スタンド取付部材には、据え置き用のスタンドが着脱可能に取り付けられる。リアキャビネットには、スタンド取付部材のスタンド取付位置が外部に露出するような開口が設けられている。
バックライトは、液晶表示パネルの背面側から液晶表示パネルを照明する。
エッジライト方式のバックライトは、液晶表示パネルの背面側に、光学シート群を介して導光板を配置し、導光板の一側端面（例えば下側端面）に、ＬＥＤを対向配置し、導光板の背面側に、反射シートを配置してなる。
【０００５】
Ｐシャーシは、合成樹脂製の枠状部材である。Ｐシャーシは、液晶表示パネル及びＬＥＤを保持する。
ＢＬシャーシは、金属製の板状部材である。ＢＬシャーシは、Ｐシャーシと共に、光学シート群、導光板、及び反射シートを保持する。ＢＬシャーシの背面には、スタンド取付部材が取り付けてある。
以上のような構成の液晶表示装置が備えるＢＬシャーシは、十分な強度を有する。何故ならば、ＢＬシャーシは、Ｐシャーシによって補強されるからである。
故に、ＢＬシャーシには、４個の壁掛け部材取付部が形成されている。各壁掛け部材取付部には、壁掛け部材が着脱可能に取り付けられる。
【０００６】
例えば、各壁掛け部材取付部にはネジ穴が形成してあり、リアキャビネットの、ネジ穴の形成位置に対応する部分には、貫通孔が設けられている。この貫通孔を通して、壁掛け部材は、壁掛け部材取付部に着脱可能にネジ留めされる。このとき、壁掛け部材と壁掛け部材取付部との間にはリアキャビネットが介在するが、壁掛け時の液晶表示装置の自重は主として壁掛け部材が支える。
【先行技術文献】
【特許文献】
【０００７】
【特許文献１】特開２００７−２８６３０９号公報
【特許文献２】特開２００１−２３６０２４号公報
【発明の概要】
【発明が解決しようとする課題】
【０００８】
近年、液晶表示装置の薄型化、軽量化、及び狭額縁化が図られている。このために、Ｐシャーシの削減が検討されている。
ところが、Ｐシャーシを削減した場合、Ｐシャーシによる補強効果が失われるため、ＢＬシャーシの強度が低下する。故に、壁掛け部材取付部をＢＬシャーシに形成することができない。仮に、壁掛け部材取付部を従来通りＢＬシャーシに形成した場合、ＢＬシャーシの強度不足によって、液晶表示装置の壁掛け時に、ＢＬシャーシが無用に変形する虞がある。ＢＬシャーシの無用な変形は、液晶表示装置の各部（例えば液晶表示パネル）の無用な変形又は破損等を招きかねない。
【０００９】
本発明は斯かる事情に鑑みてなされたものであり、その主たる目的は、スタンド取付部材をＢＬシャーシに取り付け、壁掛け部材取付部をスタンド取付部材に形成し、更に、壁掛け部材が着脱可能に取り付けられる壁掛け部材取付具をリアキャビネットに取り付ける構成とすることにより、ＢＬシャーシの強度が不十分であっても、特段の問題なく据え置き型又は壁掛け型にすることができる表示装置及びテレビジョン受像機を提供することにある。
【課題を解決するための手段】
【００１０】
本発明に係る表示装置は、正面側に表示面を有する表示パネルと、該表示パネルの背面側に配置してある板状のシャーシと、該シャーシに取り付けてあり、据え置き用のスタンドが着脱可能に取り付けられるスタンド取付部材と、前記表示面の周縁部を囲繞するフロントキャビネットと、前記表示パネル、シャーシ、及びスタンド取付部材を背面側から覆うリアキャビネットとを備え、前記フロントキャビネットと前記シャーシとの間で前記表示パネルを保持する表示装置であって、壁掛け用の壁掛け部材が着脱可能に取り付けられ、前記スタンド取付部材に形成されている壁掛け部材取付部、及び前記リアキャビネットに取り付けてある壁掛け部材取付具とを備えることを特徴とする。
【００１１】
本発明に係る表示装置は、前記リアキャビネットは、一部が他よりも深いトレイ状をなしており、前記スタンド取付部材は、前記一部によって覆われており、前記壁掛け部材取付具は、前記一部の内側に取り付けてあり、前記一部には、前記壁掛け部材取付部の配置位置又は前記壁掛け部材取付具の取付位置に対応するように、複数個の貫通孔が形成されていることを特徴とする。
【００１２】
本発明に係る表示装置は、前記シャーシは、一部が他よりも高強度になしてあり、前記スタンド取付部材は、前記一部に取り付けてあることを特徴とする。
【００１３】
本発明に係るテレビジョン受像機は、本発明に係る表示装置と、テレビジョン信号を受信する受信部とを備え、前記表示装置は、前記受信部が受信したテレビジョン信号に基づく映像を表示するようにしてあることを特徴とする。
【００１４】
本発明にあっては、表示装置が、表示パネル、シャーシ、スタンド取付部材、フロントキャビネット、リアキャビネット、壁掛け部材取付部、及び壁掛け部材取付具を備える。以下では本発明に係る表示装置が備えるシャーシをＢＬシャーシという。
【００１５】
スタンド取付部材は、ＢＬシャーシに取り付けてある。スタンド取付部材が取り付けてあることによって、ＢＬシャーシは部分的に補強される。故に、スタンド取付部材にスタンドを取り付ければ、表示装置は据え置き型として特段の問題なく機能する。表示装置を壁掛け型とする場合には、スタンド取付部材からスタンドを取り外せばよい。
【００１６】
フロントキャビネットは、表示パネルの表示面の周縁部を囲繞する。従って、表示パネルは、表示パネルの正面側に配置してあるフロントキャビネットと、表示パネルの背面側に配置してあるＢＬシャーシとの間で保持される。
このように保持された表示パネルと、ＢＬシャーシ及びスタンド取付部材とは、リアキャビネットによって背面側から覆われる。
【００１７】
壁掛け部材取付部は、ＢＬシャーシではなく、スタンド取付部材に形成されている。スタンド取付部材は、一般に金属製であり、単独で十分な強度を有する。このため、スタンド取付部材に形成されている壁掛け部材取付部に、壁掛け用の壁掛け部材を取り付けても、特段の問題はない。
表示装置を安定的に壁掛けするためには、壁掛け部材を取り付けるべき箇所（以下、取付箇所という）は、複数個必要である。また、取付箇所同士が適長離隔している必要がある。
【００１８】
ところが、スタンド取付部材のみに複数個全ての取付箇所を配置すると、取付箇所同士を十分に離隔させることができない虞がある。何故ならば、スタンド取付部材の背面視の投影面積は、通常、ＢＬシャーシの背面視の投影面積よりも小さいからである。かといって、複数個の取付箇所同士を十分に離隔させるべくスタンド取付部材を大型化させると、表示装置の軽量化を阻害する。しかも、スタンド取付部材を大型化する分だけ、金属材料を追加する必要があるため、表示装置の製造コストが増大する。
【００１９】
故に、リアキャビネットに、壁掛け部材取付具が取り付けてある。リアキャビネットの背面視の投影面積は、ＢＬシャーシの背面視の投影面積よりも大きい。従って、壁掛け部材取付部の配置位置及び壁掛け部材取付具の取付位置の配置の自由度は、スタンド取付部材のみに全ての取付箇所を配置する場合よりも向上する。
【００２０】
壁掛け部材取付具は、リアキャビネットとは別体である。このため、互いに異なる材料を用いて壁掛け部材取付具とリアキャビネットとを形成することが可能である。
また、リアキャビネットのみに複数個全ての取付箇所が配置されているわけではない。このため、リアキャビネットに取り付けてある壁掛け部材取付具に、壁掛け部材を取り付けても、特段の問題はない。
以上のことから、壁掛け部材取付部及び壁掛け部材取付具に壁掛け部材を取り付ければ、表示装置は壁掛け型として特段の問題なく機能する。
【００２１】
仮に、リアキャビネットのみに複数個全ての取付箇所を配置すると、リアキャビネットに無用な変形又は破損等が生じかねない。従って、表示装置の壁掛けのためにリアキャビネットの強度を向上させる必要がある。この場合、表示装置の薄型化、軽量化、低コスト化等が阻害される虞がある。
ここで、別体の壁掛け部材取付具をリアキャビネットに取り付けるのではなく、リアキャビネットに壁掛け部材取付部を一体に形成することを考える。
【００２２】
スタンド取付部材及び壁掛け部材取付具は、共に、リアキャビネットよりもサイズが小さい部材である。このため、多少複雑な形状であっても、容易に形成することができる。しかしながら、リアキャビネットに壁掛け部材取付部を一体形成する場合には、サイズが大きい部材であるリアキャビネットの形状が複雑になるため、リアキャビネットの形成が困難になる可能性がある。
また、壁掛け時の表示装置の自重がリアキャビネットに直接的に印加されることになるため、リアキャビネットの強度を表示装置の壁掛けのために向上させなければならないかもしれない。この場合も、表示装置の薄型化、軽量化、低コスト化等が阻害される虞がある。
【００２３】
本発明にあっては、リアキャビネットは、一部が他よりも深いトレイ状をなす。このため、リアキャビネットは、部分的に背面側へ突出しているような形状である。リアキャビネットは、例えばＢＬシャーシに取り付けられているスタンド取付部材を配置する空間を設けるために、このような形状になしてある。つまり、リアキャビネットは、壁掛けのために敢えてこのような形状になしてあるわけではない。以下では、トレイ状であるリアキャビネットの深い部分を、リアキャビネットの突出部といい、突出部以外を、非突出部という。
突出部は、スタンド取付部材を覆う。
【００２４】
壁掛け部材取付具は、突出部の内側に取り付けてある。故に、表示装置の意匠性が向上されている。何故ならば、表示装置のユーザが壁掛け部材取付具を直接的に目にすることがないからである。
また、突出部の内部は、非突出部の内部よりも空間的な余裕が大きい。故に、非突出部の内側に壁掛け部材取付具を取り付けるよりは、突出部の内側に壁掛け部材取付具を取り付ける方が、設計の自由度が高い。
【００２５】
突出部を有するリアキャビネットは、突出部を有していないリアキャビネットよりも強度が高い。故に、壁掛け部材取付具が、突出部を有していないリアキャビネットに取り付けてある場合に比べて、表示装置を安定的に壁掛けすることができる。
ところで、突出部には、複数個の貫通孔が形成されている。これらは、壁掛け部材取付部の配置位置又は壁掛け部材取付具の取付位置に対応しているため、壁掛け部材取付部及び壁掛け部材取付具がリアキャビネットの外部に完全に露出していなくても、壁掛け部材取付部及び壁掛け部材取付具に対する壁掛け部材の取り付けは問題なく行なうことができる。
【００２６】
本発明にあっては、スタンド取付部材は、ＢＬシャーシの高強度の部分に取り付けてある。故に、スタンド取付部材がＢＬシャーシの低強度の部分に取り付けてある場合に比べて、表示装置を安定的に据え置きすることができる。
ＢＬシャーシの一部には、例えばＬＥＤを配置すべき空間を設けるために、折り曲げ加工が施してある。この折り曲げ加工によって、ＢＬシャーシの一部は他よりも高強度になしてある。即ち、ＢＬシャーシの一部を表示装置の据え置きのために敢えて高強度化するわけではないため、表示装置の薄型化、軽量化、低コスト化等は阻害されない。なお、ＢＬシャーシの一部の高強度化は、折り曲げ加工に限定されず、例えば、ＢＬシャーシを補強するような部材の配置によるものであってもよい。
【００２７】
本発明にあっては、テレビジョン受像機は、本発明に係る表示装置と受信部とを備える。
本発明に係る表示装置においては、表示装置を壁掛けしても、ＢＬシャーシの無用な変形に伴う表示パネルの無用な変形が生じることはない。従って、受信部が受信したテレビジョン信号に基づく映像を表示する場合に、表示された映像の画質が、表示パネルの無用な変形によって劣化する虞はない。
【発明の効果】
【００２８】
本発明の表示装置及びテレビジョン受像機による場合、従来の液晶表示装置が備えているようなＰシャーシを備えていない構成であっても、壁掛け時にＢＬシャーシが無用に変形することを抑制することができる。何故ならば、複数個の取付箇所が、スタンド取付部材とリアキャビネットとに分散しているからである。
しかも、このために表示装置の各部の大型化又は強度の向上等を図る必要がない。従って、表示装置及びテレビジョン受像機の薄型化、狭額縁化、軽量化、及び低コスト化が阻害されることはない。
【図面の簡単な説明】
【００２９】
【図１】本発明の実施の形態に係るテレビジョン受像機の外観を示す斜視図である。
【図２】テレビジョン受像機の外観を示す側面図である。
【図３】本発明の実施の形態に係る表示装置の構成を模式的に示す縦断面図である。
【図４】表示装置の外観を示す背面図である。
【図５】表示装置のリアキャビネットを取り去った状態を示す背面図である。
【発明を実施するための形態】
【００３０】
以下、本発明を、その実施の形態を示す図面に基づいて詳述する。
【００３１】
図１及び図２は、本発明の実施の形態に係るテレビジョン受像機１の外観を示す斜視図及び側面図である。
図３は、本発明の実施の形態に係る表示装置１０の構成を模式的に示す縦断面図である。図３に示す白抜矢符は、光の方向を表わしている。
図４は、表示装置１０の外観を示す背面図である。
図５は、表示装置１０のリアキャビネット３２（後述）を取り去った状態を示す背面図である。図４に示す表示装置１０のリアキャビネット３２を取り去った状態が、図５示す表示装置１０である。
【００３２】
以下では、図２と図３との左側及び右側、並びに、図４と図５との紙面垂直方向の奥側及び手前側を、表示装置１０（延いてはテレビジョン受像機１）の前側及び後側、又は正面側及び背面側という。
また、図２及び図３の紙面垂直方向の手前側及び奥側、並びに、図４と図５との左側及び右側を、表示装置１０の左側及び右側という。
更に、図１〜図５の上側及び下側を、表示装置１０の上側及び下側という。
【００３３】
まず、図１及び図２を参照しつつ、テレビジョン受像機１の構成を説明する。
テレビジョン受像機１は、表示装置１０、受信部１１、及び信号処理部１２を備えている。また、図１に示すように据え置きされるテレビジョン受像機１は、スタンド１３を更に備えている。一方、図２に示すように壁掛けされるテレビジョン受像機１は、壁掛け機構１４を更に備えている。
【００３４】
表示装置１０は、筐体１００及び表示パネル２１を備えている。筐体１００の前部（及び後部）は、フロントキャビネット３１（及びリアキャビネット３２）を用いてなる。
受信部１１及び信号処理部１２は、表示装置１０に内蔵されている。なお、受信部１１及び信号処理部１２は、表示装置１０に外付けされていてもよい。
【００３５】
表示装置１０は、受信部１１が受信したテレビジョン信号に基づく映像を表示する。このために、受信部１１は、図示しないアンテナを介して、外部からテレビジョン信号を受信する。信号処理部１２は、受信部１１が受信したテレビジョン信号に所定の信号処理を施すことによって、映像データを出力する。
表示パネル２１は、正面側に表示面２１１を有する。表示面２１１には、信号処理部１２が出力した映像データに基づく映像が表示される。
【００３６】
スタンド１３は、後述するように、表示装置１０の下部に配される。スタンド１３が床面に載置されることによって、縦姿勢の表示装置１０が据え置きされる。
壁掛け機構１４は、壁掛け部材１４１，１４２を有する。壁掛け部材１４１は、後述するように、表示装置１０の背部に配される。壁掛け部材１４２は、壁Ｗに固定される。壁掛け部材１４１が壁掛け部材１４２に着脱可能に取り付けられることによって、前方傾斜姿勢の表示装置１０が壁掛けされる。このために、壁掛け部材１４１は、壁掛け部材１４２にネジ留めされる。なお、表示装置１０は、壁Ｗに平行に壁掛けされてもよい。
【００３７】
次に、図１〜図５を参照しつつ、表示装置１０の構成を詳述する。
表示装置１０は、筐体１００及び表示パネル２１の他、金属枠３３、エッジライト方式のバックライト、ヒートシンク３４、ＢＬシャーシ３５、スタンド取付部材４、及び２個の壁掛け金具５，５を備えている。
まず、図１〜図３を参照しつつ、フロントキャビネット３１について説明する。
フロントキャビネット３１は矩形枠状である。フロントキャビネット３１は合成樹脂を用いて押出成形してなる。フロントキャビネット３１の上下左右方向中央部には、矩形状の開口３１ａが形成されている。
【００３８】
次に、図３を参照しつつ、金属枠３３について説明する。
金属枠３３は、断面Ｌ字状の矩形枠状である。金属枠３３は、表示パネル２１及びバックライトの外周に沿うようにして、フロントキャビネット３１の内面に配置されている。金属枠３３は、外部からの静電気が表示パネル２１の周囲に飛び込むことによる表示装置１０の誤動作、又は破壊を抑制するためのものである。
【００３９】
次に、図１及び図３を参照しつつ、表示パネル２１について説明する。
表示パネル２１は、矩形状である。表示パネル２１は、液晶表示パネルを用いてなる。
表示パネル２１は、バックライトによって、表示パネル２１の背面２１２側から照明される。表示パネル２１は表示面２１１側のガラス板と背面２１２側のガラス板とを有する。２枚のガラス板の間には液晶が配されており、液晶に印加された電圧に応じて、表示パネル２１の透過率が変化する。従って、バックライトからの光は、表示パネル２１を透過するか、又は、表示パネル２１の通過を遮断される。この結果、表示面２１１に映像が表示される。
【００４０】
表示パネル２１は、表示面２１１の上下左右方向中央部に位置する有効表示領域が開口３１ａから露出するように、縦姿勢で筐体１００に収容されている。具体的には、表示パネル２１は、表示パネル２１の表示面２１１の周縁部がフロントキャビネット３１に接触するようにして、フロントキャビネット３１に後方から取り付けられている。表示パネル２１の縦横（即ち上下方向及び左右方向）の寸法は、開口３１ａの縦横の寸法よりも若干大きい。故に、フロントキャビネット３１は、表示パネル２１の表示面２１１の周縁部を囲繞している。
【００４１】
次に、図３を参照しつつ、バックライト及びヒートシンク３４について説明する。
バックライトは、光学シート群２２、導光板２３、反射シート２４、複数個のＬＥＤ２５，２５，…（１個のみ図示）、及びＬＥＤ基板２６を用いて構成される。
【００４２】
光学シート群２２は、光の拡散機能を有する光学シート及び集光機能を有する光学シート等、複数枚の光学シートが積層されてなる。
光学シート群２２の正面は、表示パネル２１の背面２１２の上下左右方向中央部に密着配置されている。光学シート群２２の縦横の寸法は、表示パネル２１の有効表示領域の縦横の寸法より大きい。つまり、光学シート群２２は、表示パネル２１の有効表示領域を、背面２１２側から覆っている。
なお、光学シート群２２に替えて、光の拡散機能及び集光機能等、複数種類の機能を有する１枚の光学シートが表示パネル２１に密着配置されていてもよい。
【００４３】
導光板２３は、矩形板状であり、例えばアクリル樹脂を用いてなる。導光板２３の縦横の寸法は、表示パネル２１の縦横の寸法よりも大きい。導光板２３の正面の上下左右方向中央部は、光学シート群２２の背面に密着配置されている。
導光板２３は、導光板２３の少なくとも下端面２３ｂから導光板２３の内部に入射した光を、導光板２３の正面２３ａ及び背面から均一に出射する（即ち面発光する）。
【００４４】
反射シート２４は、矩形板状である。反射シート２４の縦横の寸法は、導光板２３の縦横の寸法よりも大きい。また、反射シート２４の正面の上下左右方向中央部は、導光板２３の背面に密着配置されている。このため、導光板２３の背面から出射した光は、確実に反射シート２４で反射し、再び導光板２３の内部に入射する。
【００４５】
ＬＥＤ基板２６は、横長の矩形板状である。ＬＥＤ基板２６の上面には、ＬＥＤ基板２６の長手方向に並置された複数個のＬＥＤ２５，２５，…が実装されている。
なお、ＬＥＤ２５，２５，…及びＬＥＤ基板２６に替えて、電球、熱陰極蛍光灯、ＥＬ（Electro Luminescence）、又は冷陰極管等がバックライトに備えられていてもよい。
【００４６】
ＬＥＤ２５，２５，…から放射された光は、導光板２３の下端面２３ｂから導光板２３の内部に入射する。導光板２３の内部に入射した光は、導光板２３の正面２３ａから出射する。正面２３ａから出射した光は、光学シート群２２による拡散及び集光等を経て、表示パネル２１の背面２１２から表示パネル２１の内部に入射する。この結果、表示パネル２１の表示面２１１が、均一に明るくなる。
【００４７】
ところで、発光しているＬＥＤ２５は発熱する。ＬＥＤ２５，２５，…が発した熱は、一旦ＬＥＤ基板２６へ伝導してから、ヒートシンク３４へ伝導する。このために、ＬＥＤ基板２６は、ヒートシンク３４の上面に載置されている。
ＬＥＤ２５，２５，…、ＬＥＤ基板２６、及びヒートシンク３４は、ＬＥＤ２５，２５，…が導光板２３の下端面２３ｂに対面するようにして、フロントキャビネット３１に後方から取り付けられる。
【００４８】
次に、図２、図３、及び図５を参照しつつ、ＢＬシャーシ３５について説明する。
ＢＬシャーシ３５は金属製であり、挟持部３５１と取付部３５２とを有する。
挟持部３５１は矩形平板状になしてある。
挟持部３５１の背面の右下隅部には、回路基板１５が取り付けられている。回路基板１５には、受信部１１及び信号処理部１２（図１参照）等が含まれている。
挟持部３５１の下辺部には、取付部３５２が一体に設けられている。
【００４９】
取付部３５２は側面視コ字状の板状になしてある。取付部３５２は、正面側から見ると、挟持部３５１に対して凹状であり、背面側から見ると、挟持部３５１に対して凸状である。取付部３５２は、挟持部３５１よりも高強度である。即ち、ＢＬシャーシ３５の一部は他よりも高強度になしてある。
このようなＢＬシャーシ３５は、例えば１枚の矩形平板状の金属板の一辺部を折り曲げることによって、形成される。
【００５０】
挟持部３５１の正面は、反射シート２４の背面に密着配置されている。この状態で、取付部３５２が、フロントキャビネット３１の図示しないリブに、ネジ留めによって後方から取り付けられている。この結果、フロントキャビネット３１と挟持部３５１とが、表示パネル２１、光学シート群２２、導光板２３、及び反射シート２４を挟持する。換言すれば、ＢＬシャーシ３５が表示パネル２１の背面側に配置してあり、フロントキャビネット３１とＢＬシャーシ３５との間で、表示パネル２１が保持される。また、取付部３５２の正面側（即ち取付部３５２の凹状側）の空間に、ＬＥＤ基板２６、金属枠３３、及びヒートシンク３４夫々の後端部が配される。
【００５１】
ところで、ＢＬシャーシ３５に側面視コ字状の取付部３５２が設けられている理由は、ＢＬシャーシ３５をフロントキャビネット３１に取り付ける位置の強度を向上させるため、且つ、ＬＥＤ基板２６、金属枠３３、及びヒートシンク３４夫々の後端部を配置する空間を確保するためである。
【００５２】
次に、図２、図３、及び図５を参照しつつ、スタンド取付部材４について説明する。
スタンド取付部材４は、シャーシ取付部４１及びスタンド着脱部４２と、各２個の補強部４３，４３、支持部４４，４４、及び部材取付部４５，４５を有する。
スタンド取付部材４は、概ね左右対称形状である。補強部４３，４３、支持部４４，４４、及び部材取付部４５，４５夫々は、左右方向に適長離隔配置されている。
【００５３】
シャーシ取付部４１は平板状である。シャーシ取付部４１は、ＢＬシャーシ３５の背面側（即ち取付部３５２の凸状側）に、ネジ留めによって取り付けられている。即ち、スタンド取付部材４は、ＢＬシャーシ３５の高強度の部分に取り付けられている。
【００５４】
スタンド着脱部４２は、シャーシ取付部４１の下端部から一体に後方へ突設されている平板状である。スタンド着脱部４２には、スタンド１３がネジ留めによって着脱可能に取り付けられる。
補強部４３，４３は、シャーシ取付部４１の左右端部夫々から一体に後方へ突設されている。ただし、各補強部４３は、シャーシ取付部４１の上下方向中央部から下端部に亘る平板状である。補強部４３，４３同士は対面している。各補強部４３の下端部は、スタンド着脱部４２に連結されている。補強部４３，４３は、シャーシ取付部４１及びスタンド着脱部４２の強度を向上させるためのものである。
【００５５】
支持部４４，４４は、シャーシ取付部４１の左右上隅部から一体に後方へ突設されている。各支持部４４は、平板状である。支持部４４，４４同士は対面している。
部材取付部４５，４５は、支持部４４，４４に一対一対応で支持されている。各部材取付部４５は矩形平板状であり、支持部４４の先端部から一体に、シャーシ取付部４１に対面する方向へ突設されている。各部材取付部４５には、ネジ孔４５１，４５１が形成されている。
以上のようなスタンド取付部材４は、所定の形状を有する金属板を適宜に折り曲げてなる。スタンド取付部材４は、表示装置１０の重量を支持するための十分な強度を有する。
【００５６】
次に、図２〜図４を参照しつつ、リアキャビネット３２について説明する。
リアキャビネット３２は、例えば樹脂成型部材からなる。
リアキャビネット３２は、下部が深く上部が浅い矩形トレイ状である。以下では、浅い上部を非突出部３２１といい、深い下部を突出部３２２という。また、トレイの底部に相当する部分を、リアキャビネット３２（延いては非突出部３２１又は突出部３２２）の底部という。
非突出部３２１及び突出部３２２は一体に設けられている。
【００５７】
突出部３２２が設けられているリアキャビネット３２は、突出部３２２が設けられていないリアキャビネット（即ち、背面に凹凸を有していないリアキャビネット）よりも、強度が向上されている。
更に、非突出部３２１の底部には、正面側へ凹む２個の凹部３２ａ，３２ａが、左右方向に適長離隔して並設されている。この結果、凹部３２ａ，３２ａが設けられていない場合よりも、リアキャビネット３２の強度（特に、ねじりに対する強度）が向上されている。
【００５８】
リアキャビネット３２は、非突出部３２１の底部内面に形成されている図示しないリブがＢＬシャーシ３５の背面に当接した状態で、フロントキャビネット３１に取り付けられている。この結果、筐体１００の上部では、フロントキャビネット３１、表示パネル２１、光学シート群２２、導光板２３、反射シート２４、ＢＬシャーシ３５、及びリアキャビネット３２が一体的に構成される。故に、表示装置１０の強度が向上される。
【００５９】
リアキャビネット３２は、ＢＬシャーシ３５を背面側から覆っている。この結果、ＢＬシャーシ３５の正面側に配されている表示パネル２１も、リアキャビネット３２によって背面側から覆われている。また、ＢＬシャーシ３５の背面側に取り付けられている回路基板１５及びスタンド取付部材４は、リアキャビネット３２の突出部３２２によって背面側から覆われている。リアキャビネット３２に突出部３２２が設けられている理由は、ＢＬシャーシ３５の背面とリアキャビネット３２の底部内面との間に回路基板１５及びスタンド取付部材４を配する空間を確保するためである。
【００６０】
突出部３２２の底部には、仮想的な矩形の四隅に位置する４個の貫通孔３２３，３２３，３２４，３２４が形成されている。貫通孔３２３，３２３は、貫通孔３２４，３２４の上側に位置し、貫通孔３２３，３２３同士、及び貫通孔３２４，３２４同士は、夫々左右方向に適長離隔して並設されている。貫通孔３２４，３２４の形成位置は、ネジ孔４５１，４５１の形成位置（延いては、部材取付部４５，４５の配置位置）に対応している。
【００６１】
次に、図２〜図５を参照しつつ、壁掛け金具５，５について説明する。
壁掛け金具５，５は、夫々金属製の板状であり、互いに同一形状を有している。故に、大量生産によって壁掛け金具５の製造コストを低減することができる。
各壁掛け金具５には、ネジ孔５１が形成されている。各壁掛け金具５は、リアキャビネット３２の突出部３２２の底部内面に、ネジ留めによって取り付けられている。このとき、ネジ孔５１の形成位置と突出部３２２の貫通孔３２３の形成位置とが対応する。
【００６２】
次に、図１、図３、及び図５を参照しつつ、表示装置１０の据え置きについて説明する。
表示装置１０を据え置きしたい場合、表示装置１０のユーザは、スタンド１３及び複数本のネジを準備する。
次に、ユーザは、スタンド１３の上部を、リアキャビネット３２の下部に形成してある図示しない開口を通して、スタンド取付部材４のスタンド着脱部４２にネジ留めする。
【００６３】
表示装置１０を据え置きしない場合、ユーザは、スタンド１３のネジ留めを解除して、スタンド１３をスタンド取付部材４（延いては表示装置１０）から取り外す。
【００６４】
最後に、図２〜図５を参照しつつ、表示装置１０の据え置きについて説明する。
表示装置１０を壁掛けしたい場合、ユーザは、壁掛け機構１４及び複数本のネジを準備する。
次に、ユーザは、壁掛け部材１４２を壁Ｗにネジ留めする。
また、ユーザは、壁掛け部材１４１を、部材取付部４５，４５及び壁掛け金具５，５の全てにネジ留めする。このとき、４本のネジが、リアキャビネット３２の外側から貫通孔３２３，３２３，３２４，３２４に挿通された後、ネジ孔４５１，４５１，５１，５１に螺嵌する。
【００６５】
そして、ユーザは、壁掛け部材１４１を壁掛け部材１４２にネジ留めする。
壁掛けされている表示装置１０の重量は、部材取付部４５，４５及び壁掛け金具５，５を介し、壁掛け機構１４、更には壁Ｗに伝達される。
【００６６】
また、表示装置１０の内部において、表示装置１０の重量は、部材取付部４５，４５及び壁掛け金具５，５を介し、スタンド取付部材４及びリアキャビネット３２に分散する。スタンド取付部材４及びリアキャビネット３２は夫々高強度であるため、分散された重量を支持する分には特段の問題はない。また、金属製の壁掛け金具５，５にネジ孔５１，５１が形成されているため、リアキャビネット３２に直接的にネジ孔が形成されている場合に比べて、リアキャビネット３２への負荷が軽減される。
【００６７】
更にまた、スタンド取付部材４に分散した重量は、ＢＬシャーシ３５の取付部３５２にも伝達するが、取付部３５２は高強度であり、しかも、スタンド取付部材４のシャーシ取付部４１が取付部３５２を更に補強する役割を果たすため、特段の問題はない。
表示装置１０を壁掛けしない場合、ユーザは、夫々のネジ留めを解除することによって、壁掛け部材１４２から壁掛け部材１４１を取り外し、次いで、部材取付部４５，４５及び壁掛け金具５，５から壁掛け部材１４１を取り外す。
部材取付部４５及び壁掛け金具５は、本発明の実施の形態に係る壁掛け部材取付部及び壁掛け部材取付具として機能する。
【００６８】
以上のような表示装置１０は、Ｐシャーシを備えていない。Ｐシャーシによって補強されていないＢＬシャーシ３５は、表示装置１０の壁掛けに必要な強度を有していない。しかしながら、表示装置１０においては、スタンド取付部材４の２個の部材取付部４５，４５とリアキャビネット３２に取り付けられた２個の壁掛け金具５，５とに壁掛け部材１４１が取り付けられる。また、スタンド取付部材４のスタンド着脱部４２にスタンド１３が取り付けられる。故に、ＢＬシャーシ３５の強度が不十分であっても、特段の問題なく表示装置１０を据え置き型又は壁掛け型にすることができる。
【００６９】
ところで、仮に、壁掛け金具５，５を備えていない場合、スタンド取付部材４の上部を柱状に上方へ延設し、延設した部分に２個の壁掛け部材取付部を追加的に形成することが考えられる。
しかしながら、この場合、スタンド取付部材４を延設する分だけ、金属材料を大幅に追加する必要があるため、表示装置１０の製造コストが増大するという問題が生じる。
【００７０】
一方、壁掛け金具５，５は、スタンド取付部材４を延設するよりも少ない金属材料で形成される小型のもので十分である。従って、表示装置１０の製造コストが抑制される。
このように、表示装置１０を据え置き型又は壁掛け型にする目的で、表示装置１０の各部の大型化又は強度の向上等を図る必要がない。従って、表示装置１０、延いてはテレビジョン受像機１は、薄型、狭額縁、軽量、及び低コストである。
【００７１】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、表示装置１０又はテレビジョン受像機１に、実施の形態に開示されていない構成要素が含まれていてもよい。
【符号の説明】
【００７２】
１      テレビジョン受像機
１０    表示装置
１１    受信部
１３    スタンド
１４１  壁掛け部材
２１    表示パネル
２１１  表示面
３１    フロントキャビネット
３２    リアキャビネット
３２２  突出部（リアキャビネットの一部）
３５    ＢＬシャーシ（シャーシ）
３５２  取付部（シャーシの一部）
４      スタンド取付部材
４５    部材取付部（壁掛け部材取付部）
４５１，５１  ネジ孔
５      壁掛け金具（壁掛け部材取付具）
【図１】
2013126032.tif 000003
【図２】
2013126032.tif 000004
【図３】
2013126032.tif 000005
【図４】
2013126032.tif 000006
【図５】
2013126032.tif 000007